【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  それぞれに記憶手段を有したＮ個の現像剤収容カートリッジと、
前記現像剤収容カートリッジを回転可能に保持するカートリッジ保持手段と、
前記記憶手段にアクセスするアクセス手段と、
前記カートリッジ保持手段によって前記現像剤収容カートリッジのうちの１つが画像形成位置に配置された第１の状態で、前記カートリッジに収容された現像剤によって像担持体上の潜像を可視化する画像形成手段と、を有し、
前記アクセス手段は現像剤収容カートリッジが前記第１の状態でない第２の状態でアクセスすることを特徴とする画像形成装置。
【請求項２】  前記カートリッジ保持手段を、前記現像剤収容カートリッジを着脱するための着脱位置に配置することが可能であって、
前記アクセス位置は、前記現像剤収容カートリッジ着脱位置から、前記カートリッジ保持手段により、
θ＝３６０°×ｎ／Ｎ  (1≦ｎ≦Ｎ)
回転した位置であることを特徴とする請求項１に記載の画像形成装置。
【請求項３】  前記アクセス位置は、前記画像形成位置から、前記カートリッジ保持手段により、
θ＝３６０°×ｎ／Ｎ  (1≦ｎ≦Ｎ−１)
回転した位置であることを特徴とする請求項１に記載の画像形成装置。
【請求項４】  前記記憶手段は、不揮発性の記憶手段であることを特徴とする請求項１に記載の画像形成装置。
【請求項５】  前記像担持体を一様に帯電する帯電手段と、画像情報に基づいて露光を行い前記像担持体上に静電潜像を形成する露光手段と、前記静電潜像にトナー像を現像する現像手段と、前記像担持体上のトナー像を中間転写体に転写する第１の転写手段と、前記中間転写体上のトナー像を転写材に転写する第２の転写手段とを有することを特徴とする請求項１に記載の画像形成装置。
【請求項６】  前記カートリッジは、少なくとも前記現像手段を含むことを特徴とする請求項５に記載の画像形成装置。
【請求項７】  前記カートリッジは、少なくとも前記像担持体及び前記現像手段を含むことを特徴とする請求項５に記載の画像形成装置。
【請求項８】  それぞれに記憶手段を有したＮ個の現像剤収容カートリッジと、前記現像剤収容カートリッジを回転可能に保持するカートリッジ保持手段と、前記記憶手段にアクセスするアクセス手段と、を有し、前記カートリッジ保持手段によって、前記複数の現像剤収容カートリッジの１つが画像形成位置に配置された第１の状態で、該現像剤収容カートリッジに収容された現像剤によって像担持体上の潜像を可視化する画像形成装置の制御方法であって、
前記アクセス手段が現像剤収容カートリッジが前記第１の状態でない第２の状態でアクセスする工程を有することを特徴とする画像形成装置の制御方法。
【請求項９】  現像剤を有する現像装置と前記現像装置に係わる情報を記憶した記憶手段とを備えたカートリッジを複数保持可能な保持手段と、
前記複数のカートリッジは前記保持手段に対し着脱可能であって、前記保持手段に前記複数のカートリッジが装着された状態で、前記保持手段の回転動作を制御する制御手段と、
前記複数のカートリッジのうちの１つのカートリッジを前記画像形成位置に配置した状態で前記記憶手段に対してアクセスするアクセス手段と、を有し、
前記制御手段は、前記保持手段に装着された前記複数のカートリッジを順次画像形成位置に配置するように前記保持手段の回転動作を制御し、
前記アクセス手段は、前記画像形成位置に配置された前記カートリッジの記憶手段とは異なる他のカートリッジの記憶手段とアクセスすることを特徴とする画像形成装置。
【請求項１０】  前記アクセス手段は、前記画像形成位置に配置された前記カートリッジと対向する位置にあるカートリッジの記憶手段とアクセスすることを特徴とする請求項９に記載の画像形成装置。
【請求項１１】  更に、像担持体、前記像担持体を一様に帯電する帯電部材、画像情報に基づいて露光を行い像担持体上に静電潜像を形成する露光装置、像担持体上のトナー像を中間転写体上に転写する第一の転写部材と、前記中間転写体上のトナー像を転写材に転写する第２の転写部材とを有することを特徴とする請求項９に記載の画像形成装置。
【請求項１２】  前記カートリッジは、前記像担持体、前記帯電部材を含むことを特徴とする請求項１１に記載の画像形成装置。
【請求項１３】  現像剤を有する現像装置と前記現像装置に係わる情報を記憶した記憶手段とを備えたカートリッジを複数保持可能な保持手段と、前記複数のカートリッジは前記保持手段に対し着脱可能であって、前記保持手段に前記複数のカートリッジが装着された状態で、前記保持手段を回転動作させることによって画像形成を行う画像形成装置の制御方法であって、
前記複数のカートリッジのうちの１つのカートリッジを前記画像形成位置に配置するように前記保持手段を回転動作させるステップと、
前記画像形成位置に配置された前記カートリッジの記憶手段とは異なる他のカートリッジの記憶手段とアクセスするステップと、
を有することを特徴とする画像形成装置の制御方法。
【手続補正２】
【補正対象書類名】明細書
【補正対象項目名】００１０
【補正方法】変更
【補正の内容】
【００１０】
【課題を解決するための手段】
本発明に係る画像形成装置は、それぞれに記憶手段を有したＮ個の現像剤収容カートリッジと、
前記現像剤収容カートリッジを回転可能に保持するカートリッジ保持手段と、
前記記憶手段にアクセスするアクセス手段と、
前記カートリッジ保持手段によって前記現像剤収容カートリッジのうちの１つが画像形成位置に配置された第１の状態で、前記カートリッジに収容された現像剤によって像担持体上の潜像を可視化する画像形成手段と、を有し、
前記アクセス手段は現像剤収容カートリッジが前記第１の状態でない第２の状態でアクセスすることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、本発明に係る画像形成装置は、現像剤を有する現像装置と前記現像装置に係わる情報を記憶した記憶手段とを備えたカートリッジを複数保持可能な保持手段と、
前記複数のカートリッジは前記保持手段に対し着脱可能であって、前記保持手段に前記複数のカートリッジが装着された状態で、前記保持手段の回転動作を制御する制御手段と、
前記複数のカートリッジのうちの１つのカートリッジを前記画像形成位置に配置した状態で前記記憶手段に対してアクセスするアクセス手段と、を有し、
前記制御手段は、前記保持手段に装着された前記複数のカートリッジを順次画像形成位置に配置するように前記保持手段の回転動作を制御し、
前記アクセス手段は、前記画像形成位置に配置された前記カートリッジの記憶手段とは異なる他のカートリッジの記憶手段とアクセスすることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、本発明に係る画像形成装置の制御方法は、それぞれに記憶手段を有したＮ個の現像剤収容カートリッジと、前記現像剤収容カートリッジを回転可能に保持するカートリッジ保持手段と、前記記憶手段にアクセスするアクセス手段と、を有し、前記カートリッジ保持手段によって、前記複数の現像剤収容カートリッジの１つが画像形成位置に配置された第１の状態で、該現像剤収容カートリッジに収容された現像剤によって像担持体上の潜像を可視化する画像形成装置の制御方法であって、
前記アクセス手段が現像剤収容カートリッジが前記第１の状態でない第２の状態でアクセスする工程を有することを特徴とする。
【発明の実施の形態】
以下、本発明に係る画像形成装置を図面に則して更に詳しく説明する。